(57)【要約】【課題】  挿抜時におけるＰＣカードの損傷を防止することができるだけでなく、簡単な構造でＰＣカードの放熱を行うことができ、しかも、差し込んだＰＣカードを容易に排出することができる機構を備えたＰＣカード用コネクタを提供する。【解決手段】  ハウジング１と放熱機構２とカード排出機構５とロック機構６とを備える。放熱機構２は、ＰＣカード１００の挿抜に連動して、可動枠４を上下動させることにより、放熱板３をＰＣカード１００に接触又は離反させる。具体的には、両側部１２，１３上にカム部４５を設け、可動枠４のホロア部４４をカム部４５に載せる。そして、ホロア部４４をカム部４５の水平面４５ａ及び傾斜面４５ｂを滑らすことで、放熱板３を上下動させる。カード排出機構５は、イジェクタロッド５０を押し込むことで、ＰＣカード１００を排出する機構である。好ましくは、ＰＣカード１００の脱落を防止するロック機構６を設ける。【選択図】図１
2005222437.tif 000002
【特許請求の範囲】
【請求項１】
後部開口より挿入されたＰＣカードを接続するためのコネクタ部を前部に有する上面開口のハウジングと、
上記コネクタ部に接続されたＰＣカードを後方に押し出して排出するためのカード排出機構と、
放熱板を上記ハウジングの上面開口を通じて上記コネクタ部に接続されたＰＣカードの上面に接触させてＰＣカードの発熱を放熱する放熱機構と、
を備えるＰＣカード用コネクタであって、
上記放熱機構を、
上記放熱板を上面に有した状態で上記ハウジングの両側部を跨ぐ様に当該両側部上に前後移動可能に取り付けられ且つ挿入された上記ＰＣカードの前端を受ける係合部をその前端に有する可動枠と、
この可動枠の両側部の下面にそれぞれ突設された複数のホロア部と、
上記ハウジングの両側部上に突設され、上記ホロア部が載置可能な水平面及びこの水平面前端から前方に下降する傾斜面を有するカム部とで構成した、
ことを特徴とするＰＣカード用コネクタ。
【請求項２】
請求項１に記載のＰＣカード用コネクタにおいて、
上記カード排出機構を、
上記ハウジングの側部に前後方向に移動可能に取り付けられたイジェクタロッドと、
上記ハウジングの前部に回動自在に軸支され且つ一方端部が上記イジェクタロッドの前端部に連結されると共に他方端部が上記可動枠の前端に係合するレバーとで構成した、
ことを特徴とするＰＣカード用コネクタ。
【請求項３】
請求項２に記載のＰＣカード用コネクタにおいて、
上記ハウジングに挿入されたＰＣカードの抜けを防止するためのロック機構を設け、
このロック機構を、
上記ＰＣカードの後端を受ける係止部をその後端に有し、この係止部が上記ハウジングの後方開口に入り込む方向に付勢された状態でハウジング底部に回動自在に軸支され、且つ上記イジェクタロッドの前方移動時に上記係止部が当該後方開口から外れる方向に回動するように上記イジェクタロッドとリンクしたロックレバーと、
上記ＰＣカードの前端を受ける前端係合部を有し、後端係合部を上記ロックレバーの前端に係合させた状態で後方に付勢され、上記ロックレバーの係止部が上記ハウジングの後方開口から外れる方向に回動すると、上記付勢力により後方移動して、上記後端係合部で上記ロックレバーの逆回動を阻止するスライダと、
で構成したことを特徴とするＰＣカード用コネクタ。
【発明の詳細な説明】
【技術分野】
【０００１】
この発明は、ＰＣカードを受け入れるＰＣカード用コネクタに関し、特にＰＣカードの放熱手段を有したＰＣカード用コネクタ関するものである。
【背景技術】
【０００２】
一般に、ノート型パソコンには機能を拡張するためのＰＣカードスロットが標準的に装備され、そこに、ＰＣカード用コネクタが組み込まれている。これにより、ＰＣカードをＰＣカードスロットに挿入して、ＰＣカード用コネクタに接続することで、無線通信などをこのＰＣカードを通じてノートパソコンから行うことができるようになっている。
ところで、最近では、ＰＣカードが、有線及び無線LAN機能、拡張メモリ機能、ハードディスクユニット等の他、テレビジョン受信機等の機能も持つようになってきている。かかる高機能のＰＣカードにおいては、高密度のＬＳＩをＰＣカード内部に設けているので、高温の熱を発生する。このため、放熱手段を有したＰＣカード用コネクタが提案されている。
例えば、この種のＰＣカード用コネクタとしては、ＰＣカードを接続すると、ＰＣカードがコネクタに固定された放熱板に直接接触し、ＰＣカードの発熱をこの放熱板を通じて逃がすものがある（例えば、特許文献１参照）。また、可動の放熱板をＰＣカード用コネクタに設け、この放熱板を移動させることにより、ＰＣカードの使用及び非使用に応じて、放熱板を、ＰＣカードに接触させたり、ＰＣカードから離したりすることができるようにした技術もある（例えば、特許文献２参照）。
【０００３】
【特許文献１】特開平１０−１９８４６２号公報
【特許文献２】特開平０３−１８８５８９号公報
【発明の開示】
【発明が解決しようとする課題】
【０００４】
しかし、上記した従来のＰＣカード用コネクタでは、次のような問題がある。
前者のＰＣカード用コネクタでは、ＰＣカードをＰＣカード用コネクタに差し込んでいく際、ＰＣカード側面及び上下面が放熱板に擦りながら接続されるので、ＰＣカードが放熱板との摩擦によって傷付くおそれがある。
また、後者のＰＣカード用コネクタでは、ＰＣカードの差し込みの際に、ＰＣカードが放熱板に接触しないので、ＰＣカードは放熱板との摩擦によって傷付くおそれはない。しかしながら、放熱板を移動させる機構がソレノイドを使用した電気式の機構であるので、放熱板可動機構が複雑で高価なものとなり、その分、ＰＣカード用コネクタ自体の製造コストの上昇を招く。
【０００５】
この発明は、上述した課題を解決するためになされたもので、抜き差し時におけるＰＣカードの損傷を防止することができるだけでなく、簡単な構造でＰＣカードの放熱を行うことができる放熱機構を備え、しかも、この放熱機構とカード排出機構とが一体化された合理的なＰＣカード用コネクタを提供することを目的とする。
【課題を解決するための手段】
【０００６】
上記課題を解決するために、請求項１の発明は、後部開口より挿入されたＰＣカードを接続するためのコネクタ部を前部に有する上面開口のハウジングと、コネクタ部に接続されたＰＣカードを後方に押し出して排出するためのカード排出機構と、放熱板をハウジングの上面開口を通じてコネクタ部に接続されたＰＣカードの上面に接触させてＰＣカードの発熱を放熱する放熱機構とを備えるＰＣカード用コネクタであって、放熱機構を、放熱板を上面に有した状態でハウジングの両側部を跨ぐ様に当該両側部上に前後移動可能に取り付けられ且つ挿入されたＰＣカードの前端を受ける係合部をその前端に有する可動枠と、この可動枠の両側部の下面にそれぞれ突設された複数のホロア部と、ハウジングの両側部上に突設され、ホロア部が載置可能な水平面及びこの水平面前端から前方に下降する傾斜面を有するカム部とで構成した構成とする。
かかる構成により、ＰＣカードをハウジングの後部開口より挿入していくと、放熱機構の可動枠が、その係合部でＰＣカードの前端を受け、ＰＣカードと共に前方に移動する。したがって、初期時において、可動枠のホロア部をカム部の水平面に載置しておくと、ＰＣカードの前方移動に伴って、ホロア部がカム部の水平面から傾斜面に至り、傾斜面を下降する。そして、ＰＣカードをコネクタ部に接続した時点で、ホロア部がカム部の傾斜面を完全に下降し、ハウジングの両側部上に至る。この結果、可動枠上の放熱板が、ハウジングの上面開口を通じてＰＣカードの上面に接触する。そして、カード排出機構により、コネクタ部に接続されたＰＣカードを後方に押し出して排出することができる。
【０００７】
また、請求項２の発明は、請求項１に記載のＰＣカード用コネクタにおいて、カード排出機構を、ハウジングの側部に前後方向に移動可能に取り付けられたイジェクタロッドと、ハウジングの前部に回動自在に軸支され且つ一方端部がイジェクタロッドの前端部に連結されると共に他方端部が可動枠の前端に係合するレバーとで構成した。
かかる構成により、ＰＣカードをハウジングに挿入していき、可動枠を前進させていくと、可動枠の前端に係合したカード排出機構のレバーの他方端部が前方に回動し、一方端部が後方に回動する。この結果、レバーの一方端部に連結したイジェクタロッドの前端部が後方に移動させられる。そして、イジェクタロッドを前方に押し込んで、イジェクタロッドの前端部を前方に移動させると、レバーの一方端部も前方に回動する。すると、レバーの他方端部が後方に回動して、可動枠の前端を後方に押す。この結果、コネクタ部に接続されたＰＣカードが可動枠と一体に後方に移動させられて、排出される。また、可動枠のホロア部はカム部の傾斜面を登って水平部に至る。したがって、可動枠上の放熱板はカード排出機構の排出作用と連動して、ＰＣカードから離反する。
【０００８】
さらに、請求項３の発明は、請求項２に記載のＰＣカード用コネクタにおいて、ハウジングに挿入されたＰＣカードの抜けを防止するためのロック機構を設け、このロック機構を、ＰＣカードの後端を受ける係止部をその後端に有し、この係止部がハウジングの後方開口に入り込む方向に付勢された状態でハウジング底部に回動自在に軸支され、且つイジェクタロッドの前方移動時に係止部が当該後方開口から外れる方向に回動するようにイジェクタロッドとリンクしたロックレバーと、ＰＣカードの前端を受ける前端係合部を有し、後端係合部をロックレバーの前端に係合させた状態で後方に付勢され、ロックレバーの係止部がハウジングの後方開口から外れる方向に回動すると、付勢力により後方移動して、後端係合部でロックレバーの逆回動を阻止するスライダとで構成した。
【発明の効果】
【０００９】
以上説明したように、この発明のＰＣカード用コネクタによれば、ＰＣカードを挿入してコネクタ部に接続した時点で、放熱板がＰＣカードに初めて接触するので、ＰＣカードの挿入時における放熱板との摩擦による損傷を防止することができる。また、カード排出機構を備えているので、差し込んだＰＣカードを容易に排出することができ、非常に便利である。
特に請求項２の発明によれば、放熱機構とカード排出機構とが一体化され、カード排出機構による排出操作と連動して、放熱板がＰＣカードから離反するので、放熱板はＰＣカードの使用時にのみ接触し、摩擦損傷防止効果を更に高めることができ、この結果、ＰＣカードの長寿命化を図ることができる。しかも、放熱機構が放熱板を可動枠に載せて上下動させるだけの簡単な構造であるので、その分製品コスト及び製造コストの低減化を図ることができる。
【発明を実施するための最良の形態】
【００１０】
以下、この発明の最良の形態について図面を参照して説明する。
【実施例１】
【００１１】
図１は、この発明の一実施例に係るＰＣカード用コネクタを示す斜視図であり、図２は、ＰＣカード用コネクタの分解斜視図であり、図３は放熱板と可動枠とを除いて示すＰＣカード用コネクタの斜視図である。
これらの図に示すように、この実施例のＰＣカード用コネクタは、ハウジング１と放熱機構２とカード排出機構５とロック機構６とを備えている。
【００１２】
ハウジング１は、前部１１と両側部１２，１３と底部１４とで画成された上面開口の合成樹脂製箱体であり、コネクタ部１０を前部１１に有する。
コネクタ部１０は、ＰＣカード１００のソケットを受け入れて接続するための部分であり、コネクタ部１０は端子群１０ａを後方に向けた状態で前部１１に組み付けられている。
また、両側部１２，１３は、ガイド溝１５，１５を内側に有し、ＰＣカード１００の両側部をこれらガイド溝１５，１５に挿入して前進させると、ＰＣカード１００がコネクタ部１０に案内される。
【００１３】
放熱機構２は、放熱板３をハウジング１の上面開口を通じてＰＣカード１００の上面に接触させるため機構であり、放熱板３と可動枠４とを有してなる。
【００１４】
放熱板３は、ＰＣカード１００の発熱を放熱して冷却するための部材であり、アルミダイキャストにより形成されている。この放熱板３は、図２に示すように、平板ベース３０とその上に立設した複数のフィン３１とでなり、上記可動枠４上に固定されている。具体的には、図１に示すように、放熱板３を可動枠４上に載置し、複数のタブ３２と後述する可動枠４の複数のタブ４０とをネジ止にて固定している。
【００１５】
図２において、可動枠４は、ステンレス板を成型して作成した平面視矩形状の枠体であり、複数のタブ４０がその両側枠部４１，４１に形成されている。また、可動枠４の前枠部４２の前端には、挿入されたＰＣカード１００の前端を受ける係合部４３が折り曲げ形成されている。そして、可動枠４は、図１に示すように、放熱板３を上面に有した状態でハウジング１の両側部１２，１３を跨ぐ様に取り付けられ、しかも、当該両側部１２，１３上で前後移動及び上下動可能に取り付けられている。
【００１６】
図４は、図１の矢視Ａ−Ａ断面図であり、図５は、可動枠４の上下移動を示す部分拡大図である。
図４に示すように、可動枠４の両側枠部４１，４１にはそれぞれ下方に突出した３つのホロア部４４が形成されており、各ホロア部４４が、両側部１２，１３上に突設されたカム部４５上に載置されている。
カム部４５は、図５（ａ）に示すように、水平面４５ａとこの水平面４５ａの前端から前方に下降する傾斜面４５ｂを有した台形状をなし、ホロア部４４と対応するように、両側部１２，１３上に形成されている。これにより、可動枠４を前方移動させると、ホロア部４４が、カム部４５の水平面４５ａから傾斜面４５ｂを両側部１２，１３上面に向かって滑り落ち、図５（ａ）に示す状態から図５（ｂ）に示す状態に変位する。また、可動枠４を後方移動させると、ホロア部４４がカム部４５の傾斜面４５ｂを登って、図５（ｂ）に示す状態から図５（ａ）に示す状態に変位する。すなわち、可動枠４の前後移動させることで、放熱板３を上下動させることができるようになっている。
【００１７】
図１において、カード排出機構５は、コネクタ部１０に接続されたＰＣカード１００を後方に押し出して排出するための機構であり、イジェクタロッド５０とレバー５１とで構成されている。
図６は、カード排出機構５とロック機構６とを説明するためにハウジング１の両側部１２，１３を破断して示すＰＣカード用コネクタの平面図である。
図６に示すように、イジェクタロッド５０は、ＰＣカード用コネクタの外部から操作することができるステンレス製の部材であり、押圧用の釦５０ａをその後端部に有している。このイジェクタロッド５０は、側部１３の外側に前後方向（図６の上下方向）に移動可能に取り付けられている。すなわち、一対の保持部５２，５２が側部１３に設けられ、イジェクタロッド５０がこれらの保持片５２，５２によって前後移動可能に保持されている。
【００１８】
レバー５１は、かかるイジェクタロッド５０の操作によって回動する部材である。
このレバー５１は、ステンレス製の長尺状板体であり、軸５１ａによって、ハウジング１の前部１１の上面に回動自在に軸支されている。そして、このレバー５１の一方端部５１ｂは、イジェクタロッド５０の前端部に形成された連結孔５０ｂに係合され、イジェクタロッド５０の前後移動で回動するようになっている。また、レバー５１の他方端部５１ｃには、起立した係合片５１ｄが形成され（図１〜図３参照）、この係合片５１ｄが可動枠４の前端にに係合されている。これにより、可動枠４の前方移動によって、レバー５１の他方端部５１ｃが前方に回動すると共に一方端部５１ｂが後方に回動して、イジェクタロッド５０を後方に移動させる。また、イジェクタロッド５０の押し戻しにより、レバー５１の他方端部５１ｃが後方移動して、可動枠４を後方に押し戻すようになっている。
【００１９】
ロック機構６は、ハウジング１に挿入されたＰＣカード１００の抜けを防止するための機構であり、上記カード排出機構５と連動する。
ロック機構６は、ロックレバー７とスライダ８とで構成されている。
ロックレバー７は、ＰＣカード１００の後端を受ける係止部７０をその後端に有した長尺状薄板体であり、ハウジング１の底部１４に回動自在に軸支されている。
具体的には、後部に幅広部９０を有した溝９が、側部１３のガイド溝１５の近傍に形成され、ロックレバー７は、この溝９内に軸７１によって軸支されている。これにより、ロックレバー７は、係止部７０をガイド溝１５の入口１５ａに位置させ、または、入口１５ａから外れるように回動することができる。また、ロックレバー７は、係止部７０を入口１５ａに位置させるように働くバネ７２で常時付勢されている。
このようなロックレバー７には、係合突起７３が形成されており、イジェクタロッド５０の側部から延出したアーム７４の傾斜溝７４ａとリンクしている。これにより、イジェクタロッド５０が前方移動すると、アーム７４が、係合突起７３を介してロックレバー７の前端部７ａ側（軸７１に対して図６の上部側）をハウジング１の中央部側に押し、係止部７０をガイド溝１５の入口１５ａから外れる方向に回動させる（図６に示す状態）。
【００２０】
一方、スライダ８は、ロックレバー７の前方に位置した状態で、溝９内にスライド自在に配され、底部１４内に設けられたバネ８０によって後方に付勢されている。
図７は、スライダ８の挙動を示す斜視図である。
図７（ａ）に示すように、スライダ８は、略矩形状の薄板体であり、その前端に、ＰＣカード１００の前端を受けるための上向きの前端係合部８１を有している。さらに、スライダ８は、ロックレバー７の前端を係合させるための下向きの後端係合部８２を後端に有している。そして、かかるスライダ８は、溝９内に設けられた突部８３に乗った状態で溝９内に嵌められている。
これにより、図７（ａ）の破線で示すように、ロックレバー７の前端部７ａがハウジング１の中央部側に傾いて突部８３近傍に位置している場合には、スライダ８がバネ８０の付勢力で後方に引き戻される。この結果、ロックレバー７の前端部７ａがスライダ８の下側に入り込んで、後端係合部８２に係止され、ロックレバー７の前端部７ａの回動が阻止される。また、図７（ｂ）に示すように、スライダ８をバネ８０の付勢力に抗して前方に移動させると、ロックレバー７に対する後端係合部８２の係止状態が解除される。
【００２１】
ここで、ロック機構６とカード排出機構５との連動作用について述べる。
図８は、ロック機構６とカード排出機構５との連動作用を説明するための概略平面図である。なお、図８においては、連動作用の理解を容易にするため、ロックレバー７の前端部７ａやバネ８０など、前端係合部８１の下側に位置する部材についても、スライダ８などと同様に破線で示さず、実線で示すことにする。
まず、図８（ａ）に示す状態では、ロックレバー７がバネ７２によって引っ張られているが、前端部７ａがスライダ８の下に入り込んで、後端係合部８２に係止されているので、係止部７０が二点鎖線で示すガイド溝１５の入口１５ａの外側に位置している。
かかる状態で、図示しないある部材がハウジング１のガイド溝１５，１５に挿入されると、その前端がスライダ８の前端係合部８１に係合し、スライダ８が前方（図８の右方）に移動する。しかし、移動途中の状態では、図８（ｂ）に示すように、ロックレバー７の前端部７ａがスライダ８の後端係合部８２に係止された状態であるので、係止部７０は動かない。そして、スライダ８をバネ８０の付勢力に抗してさらに前進させ、ある部材がカード排出機構５のレバー５１の係合片５１ｄを押す状態になると、図８（ｃ）に示すように、ロックレバー７の前端部７ａがスライダ８の下側から抜け出し、後端係合部８２との係合状態から解放される。この結果、ロックレバー７は、係止部７０をガイド溝１５の入口１５ａに位置させる方向に回動しようとする。しかし、イジェクタロッド５０が静止した状態の場合には、係合突起７３とアーム７４との係合がかかる回動を阻止してしまう。しかしながら、上記部材がレバー５１の係合片５１ｄを前方に押すので、イジェクタロッド５０が、矢印で示すように、後方に移動し、係合突起７３をアーム７４の傾斜溝７４ａ内で移動させる。この結果、ロックレバー７は、矢印で示すように回動し、係止部７０がガイド溝１５の入口１５ａに位置することとなる。また、前端部７ａはその先端をスライダ８の後端係合部８２に係止させて、スライダ８の後方への移動を阻止する。
【００２２】
また、イジェクタロッド５０を、図８（ｃ）に示す状態から、前方（矢印と逆方）押し戻すと、アーム７４が、係合突起７３を介してロックレバー７の前端部７ａ側をハウジング１の中央部側に押し、前端部７ａがハウジング１の中央部側に回動する。この結果、図８（ｂ）に示すように、前端部７ａがスライダ８の後端係合部８２から外れて、スライダ８が後方に移動し、図８（ａ）に示すように、スライダ８が初期状態に戻る。これにより、ロックレバー７の前端部７ａがスライダ８の下側に入り込んだ状態になると共に、係止部７０がガイド溝１５の入口１５ａから外れて元の位置に戻る。
【００２３】
次に、このＰＣカード用コネクタ１の使用例について説明する。
図９は、ＰＣカード１００をハウジング１のコネクタ部１０に接続する前の状態を示すＰＣカード用コネクタの側面図であり、図１０は、ＰＣカード１００をハウジング１のコネクタ部１０に接続する前の状態を示すためにハウジング１の両側部１２，１３を破断して示すＰＣカード用コネクタの平面図であり、図１１は、ＰＣカード１００をコネクタ部１０に接続した状態を示すＰＣカード用コネクタの側面図であり、図１２は、ＰＣカード１００をコネクタ部１０に接続した状態を示すためにハウジング１の両側部１２，１３を破断して示すＰＣカード用コネクタの平面図である。
ＰＣカード１００をハウジング１に挿入する前の状態では、可動枠４のホロア部４４がカム部４５の水平面４５ａに乗った状態であり、しかも、ロックレバー７の係止部７０がガイド溝１５の入口１５ａから外れた位置にある。
かかる状態で、ＰＣカード１００をハウジング１のガイド溝１５，１５に挿入していくと、図９に示すように、ＰＣカード１００の前上端が可動枠４の係合部４３に係合すると共に、前下端が、図１０に示すスライダ８の前端係合部８１に係合する。
かかる状態では、可動枠４のホロア部４４がカム部４５上に乗った状態であるので、可動枠４上の放熱板３とＰＣカード１００とは非接触状態にある。
【００２４】
そして、ＰＣカード１００をさらにハウジング１に挿入していくと、ＰＣカード１００に係合している可動枠４が前方（図９及び図１０の右方）に移動し、その前端がレバー５１の係合片５１ｄに当接すると共に、ＰＣカード１００に係合しているスライダ８もコネクタ部１０の直前に至る。
さらに、ＰＣカード１００を前方に押し込んで、コネクタ部１０に接続すると、図１１に示すように、可動枠４のホロア部４４がカム部４５の傾斜面４５ｂを滑り落ちて、両側部１２，１３上面に至り、放熱板３の下面がＰＣカード１００の上面に接触する。
これにより、ＰＣカード１００がコネクタ部１０と電気的に接続され、しかも、放熱板３がＰＣカード１００に圧接した状態になる。したがって、ＰＣカード１００を駆動して、コネクタ部１０に接続した外部器機とＰＣカード１００との間で、信号の送受信を行うことができると共に、ＰＣカード１００から発せられた熱を放熱板３を通じて外部に効率よく放熱することができる。
【００２５】
また、このようにＰＣカード１００をコネクタ部１０に接続すると、図１２に示すように、レバー５１の係合片５１ｄが、前進した可動枠４の前端によって前方に押され、イジェクタロッド５０が後方に移動する。これと並行して、スライダ８が最前位置に至り、ロックレバー７の前端部７ａと後端係合部８２との係合が解除されて、係止部７０がガイド溝１５の入口１５ａに位置することとなる。すなわち、ロックレバー７の係止部７０がＰＣカード１００の後端に位置して、ＰＣカード１００の後方への移動を阻止し、ハウジング１からの脱落を防止する。  
【００２６】
ＰＣカード１００を排出する場合には、後方に突出した釦５０ａを用いて、イジェクタロッド５０を前方に押し戻す。すると、図９及び図１０に示したように、アーム７４がロックレバー７を押し、ロックレバー７の前端部７ａがハウジング１の中央部側に回動して、スライダ８が後方に移動すると共に、ロックレバー７の係止部７０がガイド溝１５の入口１５ａから外れて元の位置に戻る。この動作と並行して、レバー５１の係合片５１ｄが後方に回動し、可動枠４を押し戻す。この結果、ＰＣカード１００は、押し戻される可動枠４と後方に移動するスライダ８との協働作用によって、後方に移動され、開放されたガイド溝１５，１５からハウジング１外部に排出されることとなる。
また、同時に、可動枠４の後方移動によって、ホロア部４４がカム部４５の傾斜面４５ｂを登り、最終的に水平面４５ａに至る。この結果、放熱板３は、可動枠４の後方移動とほぼ同時にＰＣカード１００から離反して上方移動する。
【００２７】
このように、この実施例のＰＣカード用コネクタによれば、ＰＣカード１００がコネクタ部１０に接続した時点で初めて放熱板３がＰＣカード１００に接触し、排出操作をするとほぼ同時に放熱板３がＰＣカード１００から離れるので、ＰＣカード１００の挿抜時における放熱板３との摩擦による損傷を防止することができる。また、放熱板３を可動枠４に載せて上下動させる簡単な構成で、ＰＣカード１００を冷却することができる。また、カード排出機構４を備えているので、イジェクタロッド４０を押し込むだけで、ＰＣカード１００を容易に排出することができ、非常に便利である。
【図面の簡単な説明】
【００２８】
【図１】この発明の一実施例に係るＰＣカード用コネクタを示す斜視図である。
【図２】ＰＣカード用コネクタの分解斜視図である。
【図３】放熱板と可動枠とを除いて示すＰＣカード用コネクタの斜視図である。
【図４】図１の矢視Ａ−Ａ断面図である。
【図５】可動枠の上下移動を示す部分拡大図である。
【図６】ハウジングの両側部を破断して示すＰＣカード用コネクタの平面図である。
【図７】スライダの挙動を示す斜視図である。
【図８】ロック機構とカード排出機構との連動作用を説明するための概略平面図である。
【図９】ＰＣカードのコネクタ部接続前の状態を示すＰＣカード用コネクタの側面図である。
【図１０】ＰＣカードのコネクタ部接続前の状態をハウジング両側部を破断して示すＰＣカード用コネクタの平面図である。
【図１１】ＰＣカードをのコネクタ部に接続した状態を示すＰＣカード用コネクタの側面図である。
【図１２】ＰＣカードのコネクタ部接続状態をハウジング両側部を破断して示すＰＣカード用コネクタの平面図である。
【符号の説明】
【００２９】
１…ハウジング、  ２…放熱機構、  ３…放熱板、  ４…可動枠、  ５…カード排出機構、  ６…ロック機構、  ７…ロックレバー、  ７ａ…前端部、  ８…スライダ、  ９…溝、  １０…コネクタ部、  １１…前部、  １２，１３…両側部、  １４…底部１４、  １５…ガイド溝、  １５ａ…入口、  ４１…両側枠部、  ４２…前枠部、  ４３…係合部、  ４４…ホロア部、  ４５…カム部、  ４５ａ…水平面、  ４５ｂ…傾斜面、  ５０…イジェクタロッド、  ５０ａ…釦、  ５１…レバー、  ５１ａ…軸、  ５１ｂ…一方端部、  レバー５１ｃ…他方端部、  ５１ｄ…係合片、  ７０…係止部、  ７１…軸、  ７２，８０…バネ、  ７３…係合突起、  ７４…アーム、  ７４ａ…傾斜溝、  ８１…前端係合部、  ８２…後端係合部、  ８３…突部  ９０…幅広部、  １００…ＰＣカード。
【図１】
2005222437.tif 000003
【図２】
2005222437.tif 000004
【図３】
2005222437.tif 000005
【図４】
2005222437.tif 000006
【図５】
2005222437.tif 000007
【図６】
2005222437.tif 000008
【図７】
2005222437.tif 000009
【図８】
2005222437.tif 000010
【図９】
2005222437.tif 000011
【図１０】
2005222437.tif 000012
【図１１】
2005222437.tif 000013
【図１２】
2005222437.tif 000014